(57)【要約】【課題】既存の布線用フォークに対して容易に取り付けることができ、電線配索後のテープ巻き時には容易に取り外すことができて、テープ巻き作業の容易化を図ることができるワイヤハーネス分岐部の布線治具を提供する。【解決手段】布線用フォーク１の縦棒８に上方から嵌挿することで装着可能な筒状部材２１と、分岐線Ｗ２のうちの最小曲げ半径の制限された特殊線Ｗｔを幹線Ｗ１に対し交差する方向に湾曲させながらガイドする特殊線分岐ガイド部材２３と、筒状部材の下端と特殊線分岐ガイド部材の下端を連結するアーム２２とを有し、特殊線ガイド部材の筒状部材側の外周面が、特殊線を所定の曲率半径で湾曲させながらガイドする円弧状のガイド面２４とされている。【選択図】図１
2012195225.tif 000002
【特許請求の範囲】
【請求項１】
ワイヤハーネスの幹線から該幹線に交差する方向に分岐線を分岐させたワイヤハーネス分岐部の布線治具であって、
布線板上で電線を配索する際に電線を引っ掛ける布線用フォークの縦棒に上方から嵌挿することで該縦棒に装着可能な筒状部材と、
該筒状部材と平行に間隔をおいて配され、前記分岐線のうちの最小曲げ半径の制限された特殊線を前記幹線に対し交差する方向に湾曲させながらガイドする特殊線分岐ガイド部材と、
前記筒状部材の下端と前記特殊線分岐ガイド部材の下端を連結するアームと、
を有し、
前記特殊線ガイド部材の前記筒状部材側の外周面が、前記特殊線を所定の曲率半径で湾曲させながらガイドする円弧状のガイド面とされていることを特徴とするワイヤハーネス分岐部の布線治具。
【請求項２】
前記筒状部材の上部が、前記布線用フォークの縦棒の上端部に上方から被さる上端閉塞のキャップ状の円筒体として構成され、前記筒状部材の下部が、前記布線用フォークの縦棒に対し横方向に抜き差し可能な半円筒体として構成されていることを特徴とする請求項１に記載のワイヤハーネス分岐部の布線治具。
【請求項３】
前記筒状部材の下端に、該筒状部材を前記布線用フォークの縦棒に装着した状態での上方への抜けを阻止するストッパが設けられていることを特徴とする請求項１又は２に記載のワイヤハーネス分岐部の布線治具。
【請求項４】
前記特殊線ガイド部材が前記アームに対して着脱可能とされていることを特徴とする請求項１〜３のいずれか一項に記載のワイヤハーネス分岐部の布線治具。
【発明の詳細な説明】
【技術分野】
【０００１】
本発明は、ワイヤハーネスの幹線から該幹線に交差する方向に分岐線を分岐させたワイヤハーネス分岐部の保持具に係り、特に分岐線の中に最小曲げ半径の制限された特殊線（同軸ケーブル、光ケーブル、チューブ、ツイスト線、ワイヤロープなど）が含まれている場合のワイヤハーネス分岐部の保持具に関するものである。
【背景技術】
【０００２】
ワイヤハーネスの幹線から分岐線を引き出す場合、通常、幹線に含まれている電線（分岐しようとする電線）を幹線に交差する方向（例えば、幹線に垂直な方向）に曲げながら引き出している。そのようなワイヤハーネス分岐部を製造する場合、一般的には、布線板と布線用フォークを用いて電線を配索している（例えば、特許文献１参照）。
【０００３】
図９はＴ字状のワイヤハーネス分岐部の配索状況を示す平面図である。
布線板上に立設された布線用フォーク２００の上部には、幹線Ｗ１を支持すると共に分岐線Ｗ２を支持することができるように３本の電線掛用の円柱状の縦棒２０７、２０８、２０８が設けられており、これら縦棒２０７、２０８、２０８間の経路に沿って幹線Ｗ１と分岐線Ｗ２とをＴ字状に配索している。
【０００４】
ところで、この分岐線Ｗ１の中に、通常の柔軟性のある電線Ｗｓよりも最小曲げ半径が大きめの寸法（例えば、自己径の数倍）に制限された特殊線Ｗｔが含まれているような場合、これらの特殊線Ｗｔは最小曲げ半径（曲げＲともいう）を確保しながら曲げる必要があるので（そうしないと、性能保証ができない等のため）、図１０に示すように、特別な曲率の補助治具２１０を布線板に新たに固定して配索を行っている。
【先行技術文献】
【特許文献】
【０００５】
【特許文献１】特開２００６−２５２９６５号公報
【発明の概要】
【発明が解決しようとする課題】
【０００６】
しかし、通常の布線用フォーク２００の他に新たな補助治具２１０を布線板に固定して配索する場合、補助治具２１０の位置決めや固定に手間がかかるという問題があった。また、補助治具２１０をいったん布線板上に固定してしまうと、なかなか容易に取り外すことができず、そのまま電線の分岐部に対してテープ巻きを行おうとすると、分岐部の周辺に治具が密集しているためにテープ巻き作業がしにくくなるという問題があった。また、補助治具２１０の取付位置が最適位置からずれているような場合、後からの位置の微調整が難しいために、特殊線Ｗｔを自然な曲げ半径で曲げられない場合もあった。
【０００７】
そこで、本発明の目的は、既存の布線用フォークに対して容易に取り付けることができ、電線配索後のテープ巻き時には容易に取り外すことができて、テープ巻き作業の容易化を図ることができ、しかも、最小曲げ半径の制限された特殊線を自然な曲げ半径で曲げることのできるワイヤハーネス分岐部の布線治具を提供することにある。
【課題を解決するための手段】
【０００８】
本発明の上記目的は、下記の構成により達成される。
（１）  ワイヤハーネスの幹線から該幹線に交差する方向に分岐線を分岐させたワイヤハーネス分岐部の布線治具であって、
布線板上で電線を配索する際に電線を引っ掛ける布線用フォークの縦棒に上方から嵌挿することで該縦棒に装着可能な筒状部材と、
該筒状部材と平行に間隔をおいて配され、前記分岐線のうちの最小曲げ半径の制限された特殊線を前記幹線に対し交差する方向に湾曲させながらガイドする特殊線分岐ガイド部材と、
前記筒状部材の下端と前記特殊線分岐ガイド部材の下端を連結するアームと、
を有し、
前記特殊線ガイド部材の前記筒状部材側の外周面が、前記特殊線を所定の曲率半径で湾曲させながらガイドする円弧状のガイド面とされていることを特徴とするワイヤハーネス分岐部の布線治具。
【０００９】
（２）  前記筒状部材の上部が、前記布線用フォークの縦棒の上端部に上方から被さる上端閉塞のキャップ状の円筒体として構成され、前記筒状部材の下部が、前記布線用フォークの縦棒に対し横方向に抜き差し可能な半円筒体として構成されていることを特徴とする上記（１）に記載のワイヤハーネス分岐部の布線治具。
【００１０】
（３）  前記筒状部材の下端に、該筒状部材を前記布線用フォークの縦棒に装着した状態での上方への抜けを阻止するストッパが設けられていることを特徴とする上記（１）又は（２）に記載のワイヤハーネス分岐部の布線治具。
【００１１】
（４）  前記特殊線ガイド部材が前記アームに対して着脱可能とされていることを特徴とする上記（１）〜（３）のいずれかに記載のワイヤハーネス分岐部の布線治具。
【００１２】
（５）  前記特殊線ガイド部材の前記筒状部材側と反対側がカットされており、前記特殊線ガイド部材が断面半円状に近い形状に形成されていることを特徴とする上記（１）〜（４）のいずれかに記載のワイヤハーネス分岐部の布線治具。
【００１３】
上記（１）の構成の布線治具によれば、円筒部材を通常配索に使用する布線用フォークの１本の縦棒に上から被せるように装着するだけで、布線治具を容易にセットすることができ、特殊線を特殊線ガイド部材のガイド面に沿わせて曲げることにより、最小曲げ半径を確保しながら配索することができる。また、この特殊線を曲げながら配索する際に、円筒部材は単に布線用フォークの縦棒に嵌挿しているだけで回転可能になっているので、特殊線の最大張力の箇所に特殊線ガイド部材を自動で回転位置決めすることができ、特殊線を自然な曲げ半径で無理なく曲げることができる。また、配索後にワイヤハーネス分岐部をテープ巻きする段階で、布線用フォークの縦棒に装着した布線治具が邪魔になる場合は、円筒部材を上方に持ち上げるだけで布線治具を縦棒から抜くことができるので、容易に布線治具を取り外すことができ、分岐部の周辺での治具の密集を回避しながら、容易にテープ巻き作業を行うことができる。
【００１４】
上記（２）の構成の布線治具によれば、円筒体が筒状部材の上部にだけ設けられており、上部のキャップ状の部分の長さが短く設定されているので、布線用フォークの縦棒に対する筒状部材の着脱が容易にできる。従って、配索作業中であっても簡単に着脱可能である。
上記（３）の構成の布線治具によれば、筒状部材の下端に上方への抜けを阻止するストッパを設けているので、不用意に布線治具が布線用フォークから外れるようなことがない。なお、このストッパを使用中でも、円筒部材を布線用フォークの縦棒に対してある程度回転できる状態に保っておくことにより、上述のように、特殊線の最大張力の箇所に特殊線ガイド部材を自動で回転位置決めすることができ、特殊線を自然な曲げ半径で無理なく曲げることができる。
【００１５】
上記（４）の構成の布線治具によれば、特殊線ガイド部材をアームに対して着脱可能としたことにより、ガイド面の曲率の違う特殊線ガイド部材を、特殊線の種類などに応じて自由に交換することができる。
【００１６】
上記（５）の構成の布線治具によれば、特殊線ガイド部材の筒状部材側と反対側の不使用部分をカットしたので、布線治具の軽量化や小容量化を図ることができる。従って、他の治具が隣接する場合にも治具の密集を避けることができ、配索作業の容易化に貢献することができる。
【発明の効果】
【００１７】
本発明によれば、布線用フォークの１本の縦棒に容易にセットすることができ、特殊線を特殊線ガイド部材のガイド面に沿わせて曲げることにより、最小曲げ半径を確保しながら配索することができる。また、この特殊線を曲げながら配索する際に、特殊線の最大張力の箇所に特殊線ガイド部材を自動で回転位置決めすることができ、特殊線を自然な曲げ半径で無理なく曲げることができる。また、電線配索後のテープ巻き時には容易に取り外すことができて、テープ巻き作業の容易化を図ることができる。
【図面の簡単な説明】
【００１８】
【図１】本発明の実施形態の布線治具の使用状態を示す図で、（ａ）は電線配索時の状態を示す平面図、（ｂ）は電線を省略して示す側面図である。
【図２】実施形態の布線治具の詳細な構成を示す側面図である。
【図３】同布線治具のストッパを作動位置に回動させた状態を示す図で、図２のＩＩＩ−ＩＩＩ矢視断面図およびその要部拡大図である。
【図４】同布線治具のストッパ単体の構成を示す斜視図である。
【図５】（ａ）は同布線治具を布線用フォークの縦棒に装着した状態を示す側面図、（ｂ）は布線治具の上面図、（ｃ）は布線治具の下面図である。
【図６】同布線治具の特殊線ガイド部材をアームに取り付ける場合の作用説明図で、（ａ）は側面図、（ｂ）は（ａ）のＶＩｂ−ＶＩｂ矢視断面図である。
【図７】他の実施形態の布線治具の構成図で、（ａ）は上面図、（ｂ）は側面図である。
【図８】（ａ）は分岐線、特殊線及び幹線を十字形状に配索した形態の平面図、（ｂ）は分岐線及び特殊線を幹線に対して斜めに交差させて配索した形態の平面図である。
【図９】従来の分岐部の配索の仕方を説明するための平面図である。
【図１０】従来の分岐部の特殊線が含まれている場合の配索の仕方を説明するための平面図である。
【発明を実施するための形態】
【００１９】
以下、本発明の各実施形態を図面を参照して説明する。
図１は実施形態の布線治具の使用状態を示す図で、（ａ）は電線配索時の状態を示す平面図、（ｂ）は電線を省略して示す側面図、図２は同布線治具の詳細な構成を示す側面図、図３は同布線治具のストッパを作動位置に回動させた状態を示す図で、図２のＩＩＩ−ＩＩＩ矢視断面図およびその要部拡大図、図４は同布線治具のストッパ単体の構成を示す斜視図、図５（ａ）は同布線治具を布線用フォークの縦棒に装着した状態を示す側面図、（ｂ）は布線治具の上面図、（ｃ）は布線治具の下面図、図６は同布線治具の特殊線ガイド部材をアームに取り付ける場合の作用説明図で、（ａ）は側面図、（ｂ）は（ａ）のＶＩｂ−ＶＩｂ矢視断面図である。
【００２０】
図１に示すように、このワイヤハーネス分岐部の布線治具２０は、ワイヤハーネスの幹線Ｗ１から該幹線Ｗ１に交差する方向（図では直交する方向）に分岐線Ｗ２を分岐させたＴ字状のワイヤハーネス分岐部を作成する際に、主となる布線用フォーク１と共に補助的に使用するものである。この布線治具２０を用いるのは、分岐線Ｗ１の中に、通常の柔軟性のある電線Ｗｓよりも最小曲げ半径が大きめの寸法（例えば、自己径の数倍）に制限された特殊線Ｗｔが含まれている場合である。ここで、特殊線Ｗｔとは、主に光ケーブルや同軸ケーブルのことであり、その他に、チューブ、ツイスト線、ワイヤロープなどが該当する。
【００２１】
通常配索に使用する布線用フォーク１は、３本の垂直上方に延びる電線引っ掛け用の円柱状の縦棒７、８、８を有したもので、第１の縦棒７は、二等辺三角形の底辺に対向する頂点位置に配置され、２本の第２の縦棒８、８は、二等辺三角形の底辺の両端の他の２つの頂点位置に配置されている。３本の垂直に延びた縦棒７、８、８の下端は、Ｌ字状の屈曲部や水平棒部９を介して１本の支柱の上端に合流しており、支柱は図示しない略水平な布線板上に立設されている。
【００２２】
実施形態の布線治具２０は、布線用フォーク１の２本の第２の縦棒８、８のうちの１本の縦棒８に装着されるもので、布線用フォーク１の縦棒８に上方から嵌挿することで該縦棒８に回動可能〔図１（ａ）中の矢印Ｒ方向に回動可能〕に装着される筒状部材２１と、筒状部材２１と平行に間隔をおいて配され、分岐線Ｗ２のうちの最小曲げ半径の制限された特殊線Ｗｔを幹線Ｗ１に対し交差する方向に湾曲させながらガイドする特殊線分岐ガイド部材２３と、筒状部材２１の下端と特殊線分岐ガイド部材２３の下端を連結するアーム２２と、を有している。この場合、特殊線ガイド部材２３の筒状部材２１側の外周面が、特殊線Ｗｔを所定の曲率半径で湾曲させながらガイドする円弧状のガイド面２４となっている。
【００２３】
また、特殊線ガイド部材２３は、筒状部材２１を布線用フォーク１の縦棒８に適正に装着した際に、装着した縦棒８の外側（装着しない縦棒８のある側と反対側）に位置すると共に、２本の第２の縦棒８、８を結ぶ直線に対しておおよそ４５度の角度の位置に位置するように配されている。
【００２４】
図１、図２および図５に示すように、筒状部材２１はパイプによって構成されており、筒状部材２１の上半部は、布線用フォーク１の縦棒８の上端部に上方から被さるキャップ状の円筒体２１ａとして構成され、筒状部材２１の下半部は、布線用フォーク１の縦棒８に対し横方向（水平方向）に抜き差し可能な半円筒体２１ｃとして構成されている。キャップ状の円筒体２１ａは、上端が端面板２１ｂにより閉塞され、内部が、縦棒８の上端部が挿入される袋状の空間２１ｅとなっており、布線用フォーク１の縦棒８の上端に嵌挿した際に、不用意に外れないような長さ寸法Ｌに設定されている。また、半円筒体２１ａの下端には、筒状部材２１を布線用フォーク１の縦棒８に装着した状態での上方への抜けを阻止するストッパ２６が設けられている。
【００２５】
ストッパ２６は、図３および図４に示すように、間隔をおいて互いに平行に対向する一対の側板２６ａ、２６ａと、両側板２６ａ、２６ａを連結する連結板２６ｂとを有し、両側板２６ａ、２６ａに設けた軸孔２６ｃ、２６ｃにピン（例えばリベット）２５、２５をそれぞれ通し、それらピン２５、２５を、筒状部材２１の下端の平行壁２１ｄに設けたピン孔（符号省略）に係合させることで、ピン２５を中心にして上下方向に回動可能に取り付けられている。図２の実線で示すストッパ２６の位置が非ロック位置、二点鎖線で示すストッパ２６の位置がロック位置である。
【００２６】
非ロック位置にストッパ２６があるときには、半円筒体２１ｃの下方が開放されているので、筒状部材２１を布線用フォーク１の縦棒８に嵌挿させることができると共に、布線用フォーク１の縦棒８から筒状部材２１を上方に抜くことができるようになる。また、ロック位置にストッパ２６があるときには、半円筒体２１ｃの下方がストッパ２６の連結壁２６ｂで邪魔されるので、布線用フォーク１の縦棒８から筒状部材２１を上方に抜こうとした際に、連結板２６ｂに縦棒８につながる屈曲部や水平棒部９が当たることになり、縦棒８から円筒部材２１を抜くことができなくなる。つまり、ストッパ２６の連結壁２６ｂが、円筒部材２１の抜け止めを果たすことになる。なお、ストッパ２６がロック位置にあるときでも、ストッパ２６の側板２６ａ、２６ａ間の寸法は、縦棒８につながる屈曲部や水平棒部９に対して余裕を持っているので、筒状部材２１を縦棒８に対して回動させることができ、特殊線ガイド部材２３の回転位置をある程度自由に調整することができる。
【００２７】
この場合、ストッパ２６の両側板２６ａの内面の軸孔２６ｃから離れた位置には、側板２６ａの外面側からプレスすることにより膨らみ状の係合凸部２８が設けられ、ロック時にストッパ２６を回動させたとき、この係合凸部２８が筒状部材２１の下端の平行壁２１ｄの外面に形成された係合凹部２７に係合することにより、ロック位置にストッパ２６を保持することができるようになっている。なお、係合凹部２７を省略して、係合凸部２８が平行壁２１ｄに圧接するように構成してもよい。
【００２８】
また、特殊線ガイド部材２３の筒状部材２１側と反対側は不使用部としてカットされており、特殊線ガイド部材２３が、断面半円状に近い形状に形成されている。また、特殊線ガイド部材２３は、アーム２２に対して着脱可能に連結されている。この場合、平板状のアーム２２の一端にはＵ字状の切欠２２ａが設けられており、このＵ字状の切欠２２ａを利用して連結機構３０により、特殊線ガイド部材２３がアーム２２に取り付けられている。
【００２９】
図２に示すように、この場合の連結機構３０は、特殊線ガイド部材２３の貫通孔３５に通したロッド３１と、ロッド３１の下端と上端に設けたフランジ３２、３３と、ロッド３１を上方に付勢するバネ３４とで構成されている。特殊線ガイド部材２３の貫通孔３５は、上下方向に貫通しており、貫通孔３５の上端が、特殊線ガイド部材２３に設けた収容凹所３８のバネ受壁３８ａに開口している。ロッド３１は貫通孔３５内にスライド自在に挿通され、上端フランジ３３が収容凹所３８内に位置し、下端フランジ３２が特殊線ガイド部材２３の下端面の下方に位置している。また、バネ３４は、ロッド３１の外周に配されたコイルバネよりなり、上端フランジ３３とバネ受壁３８ａとの間に圧縮状態で挟まれることにより、上端のフランジ３３を上方に付勢し、それにより、ロッド３１を介して、下端のフランジ３２を上方に付勢している。
【００３０】
そして、図６に示すように、上端のフランジ３３を下方に押し下げて下端のフランジ３２を下方に変位させ、その状態で、特殊線ガイド部材２３の下端面と下端フランジ３２との間に露出したロッド３１を、矢印Ａのようにアーム２２の一端のＵ字状の切欠２２ａに挿入し、挿入した状態で、上端フランジ３３の押し下げを解除することで、バネ３４の力で下端フランジ３２と特殊線ガイド部材２３の下面との間にアーム２２を押圧力を持って挟み込むことができ、それにより、アーム２２に特殊線ガイド部材２３を連結している。なお、特殊線ガイド部材２３とアーム２２の連結強度を増すために、アーム２２と特殊線ガイド部材２３および／又は下端フランジ３２との相互の当たり面に凹凸を設けたり、摩擦係数を大に設定したりしてもよい。
【００３１】
次に作用を説明する。
特殊線Ｗｔを含む分岐線Ｗ２を、幹線Ｗ１から分岐させて配索する場合、図１に示すように、布線用フォーク１の２本の第２の縦棒８のうちの１本の縦棒８に、布線治具２０を装着する。この場合、円筒部材２１を通常配索に使用する布線用フォーク１の１本の縦棒８に上から被せるように装着するだけで、布線治具２０を容易にセットすることができる。そして、特殊線Ｗｔを特殊線ガイド部材２３のガイド面２４に沿わせて曲げることにより、最小曲げ半径を確保しながら特殊線Ｗｔを配索することができる。
【００３２】
この特殊線Ｗｔを曲げながら配索する際、円筒部材２１は単に布線用フォーク１の縦棒８に嵌挿しているだけで回転可能になっているので、特殊線Ｗｔの最大張力の箇所に特殊線ガイド部材２３を自動で回転位置決めすることができ、特殊線Ｗｔを自然な曲げ半径で無理なく曲げることができる。
【００３３】
また、配索後にワイヤハーネス分岐部をテープ巻きする段階で、布線用フォーク１の縦棒８に装着した布線治具２０が邪魔になる場合は、円筒部材２１を上方に持ち上げるだけで布線治具２０を縦棒８から抜くことができるので、容易に布線治具２０を取り外すことができ、分岐部の周辺での治具の密集を回避しながら、容易にテープ巻き作業を行うことができる。
【００３４】
特に本実施形態の布線治具２０では、円筒体２１ａが筒状部材２１の上部にだけ設けられており、上部のキャップ状の円筒体２１ａ部分の長さＬが短く設定されているので、布線用フォーク１の縦棒８に対する筒状部材２１の着脱が容易にできる。従って、配索作業中であっても簡単に着脱可能であり、配索作業性の向上が図れる。
【００３５】
また、筒状部材２１の下端に上方への抜けを阻止するストッパ２６を設けているので、ストッパ２６をロック位置に操作することにより、不用意に布線治具２０が布線用フォーク１から外れないようにすることができる。なお、ストッパ２６による抜け止めロック中でも、円筒部材２１を布線用フォーク１の縦棒８に対してある程度回転できる状態に保っておくことができるので、上述のように、特殊線Ｗｔの最大張力の箇所に特殊線ガイド部材２３を自動で回転方向に位置決めすることができ、特殊線Ｗｔを自然な曲げ半径で無理なく曲げることができる。
【００３６】
また、本実施形態の布線治具２０では、特殊線ガイド部材２３をアーム２２に対して着脱可能としているので、ガイド面２４の曲率の違う特殊線ガイド部材２３を、特殊線Ｗｔの種類などに応じて自由に交換することができる。
【００３７】
また、特殊線ガイド部材２３の筒状部材２１側と反対側の不使用部分をカットしているので、布線治具２０の軽量化や小容量化を図ることができる。従って、他の治具が隣接する場合にも治具の密集を避けることができ、配索作業の容易化に貢献することができる。
【００３８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３９】
例えば、上記実施形態では、筒状部材２１の上半部を円筒体２１ａで構成し、下半部を半円筒体２１ｃで構成した場合を示したが、全部を円筒体で構成してもよい。
【００４０】
また、上記実施形態では、バネ３４やロッド３１を用いた連結機構３０によって、特殊線ガイド部材２３をアーム２２に着脱自在に連結する場合を示したが、図７の他の実施形態の布線治具２０Ｂのように、アーム２２に形成した通孔（図示略）にボルト４０を通し、そのボルト４０を特殊線ガイド部材２３の下面のねじ孔にねじ込むなどして、特殊線ガイド部材２３とアーム２２を着脱自在に連結するようにしてもよい。
【００４１】
また、ワイヤハーネスの配索形態は、図８（ａ）に示すように、分岐線Ｗ２、特殊線Ｗｔ及び幹線Ｗ１を十字形状に配索した形態でもよく、図８（ｂ）に示すように、分岐線Ｗ２及び特殊線Ｗｔを幹線Ｗ１に対して斜めに交差させて配索した形態でもよい。
【符号の説明】
【００４２】
Ｗ１  幹線
Ｗ２  分岐線
Ｗｔ  特殊線
１  布線用フォーク
８  縦棒
２０  布線治具
２１  筒状部材
２１ａ  円筒体
２１ｃ  半円筒体
２２  アーム
２３  特殊線ガイド部材
２４  円弧状のガイド面
２６  ストッパ
３０  連結機構
２０Ｂ  布線治具
４０  ボルト
【図１】
2012195225.tif 000003
【図２】
2012195225.tif 000004
【図３】
2012195225.tif 000005
【図４】
2012195225.tif 000006
【図５】
2012195225.tif 000007
【図６】
2012195225.tif 000008
【図７】
2012195225.tif 000009
【図８】
2012195225.tif 000010
【図９】
2012195225.tif 000011
【図１０】
2012195225.tif 000012